(57)【要約】【課題】構成部品の破損を防止して外部装置を確実かつ容易に着脱でき、かつコンパクトな装着機構を提供する。【解決手段】電子機器に回動可能に設けられたレバー５と、レバー５に設けられた係合ピン５ａと、上記外部装置に設けられた係合溝２ｈと、係合溝２ｈの終端部に連なって設けられたカギ溝２ｉとを備え、上記外部装置の装着のときに、係合溝２ｈの終端部に係合した係合ピン５ａは、レバー５が右回りに回動されることにより、カギ溝２ｉに係合し、カギ溝２ｉの奥側端面を押圧して上記外部装置を上記装着方向に押し込み、上記電子機器のコネクタ４ｂと上記外部装置のコネクタ２ｃとを嵌合させ、上記外部装置の取り出しのときに、カギ溝２ｉに係合している係合ピン５ａは、レバー５が左回りに回動されることにより、カギ溝２ｉの手前端面を押圧して上記外部装置を取り出し方向に引き出し、上記両コネクタの嵌合を外す。【選択図】        図５
2004348783.tif 000002
【特許請求の範囲】
【請求項１】
電子機器に外部装置を着脱自在に装着する装着機構において、
上記電子機器に回動可能に設けられたレバーと、
上記レバーに設けられた係合ピンと、
上記電子機器に対する上記外部装置の着脱方向と平行な長い形状で上記外部装置に設けられた係合溝と、
上記係合溝の終端部に連なって設けられたカギ溝と
を備え、
上記外部装置の装着のときに、
上記係合溝は、上記外部装置が上記電子機器に挿入されるのに伴って上記係合ピンに係合して装着方向に移動し、
上記終端部に係合した上記係合ピンは、上記レバーが第１の向きに回動されることにより、上記第１の向きに円弧を描いて移動し、上記カギ溝に係合し、上記カギ溝の第１の端面を押圧して上記外部装置を上記装着方向に押し込み、上記電子機器に設けられたコネクタと上記外部装置に設けられたコネクタとを嵌合させ、
上記外部装置の取り出しのときに、
上記カギ溝に係合している上記係合ピンは、上記レバーが第２の向きに回動されることにより、上記第２の向きに円弧を描いて移動し、上記カギ溝の第２の端面を押圧して上記外部装置を取り出し方向に引き出し、上記両コネクタの嵌合を外し、上記終端部に係合し、
上記係合溝は、上記外部装置が上記電子機器から引き抜かれるのに伴って上記係合ピンに係合して上記取り出し方向に移動する
ことを特徴とする装着機構。
【請求項２】
上記カギ溝に係合しているときの上記係合ピンの可動範囲は、上記レバーの回動中心を通って上記着脱方向に垂直な方向と、上記回動中心および上記係合ピンの位置を通る方向とのなす角が、鋭角となる範囲であることを特徴とする請求項１記載の装着機構。
【請求項３】
上記終端部に、上記外部装置の挿入に伴って上記終端部に達した上記係合ピンを係止するための係合凹部を設けたことを特徴とする請求項１記載の装着機構。
【請求項４】
上記カギ溝が上記終端部に連なる位置に、上記係合ピンを上記終端部から上記カギ溝に誘導するためのガイド部を設けたことを特徴とする請求項１記載の装着機構。
【請求項５】
上記係合ピンが上記レバーに自転自在に設けられていることを特徴とする請求項１記載の装着機構。
【請求項６】
上記係合溝の途中の一方の側面に係合凸部を設け、
上記係合凸部は、上記外部装置の取り出しのときに、上記係合ピンを係止し、上記レバーが上記第１の向きに回動されて上記係合ピンが上記第１の向きに移動することにより、上記係止を解除される
ことを特徴とする請求項１記載の装着機構。
【請求項７】
上記係合凸部は、
上記始端部の側が上記着脱方向に対して傾斜して形成されており、
上記外部装置の装着のときに、上記係合ピンを上記傾斜に沿って通過させて上記終端部に誘導する
ことを特徴とする請求項６記載の装着機構。
【請求項８】
上記レバーを所定の位置に保持するバネを上記電子機器に設け、
上記バネは、上記外部装置の装着および取り出しのときに、上記係合ピンを上記係合溝の上記係合凸部が設けられた側の側面に沿って通過させる
ことを特徴とする請求項７記載の装着機構。
【請求項９】
外部装置が着脱自在に装着される電子機器において、
上記外部装置と電気的に接続するためのコネクタと、
回動可能に設けられたレバーと、
上記レバーに設けられた係合ピンと
を備え、
上記外部装置の装着のときに、上記係合ピンは、上記レバーが第１の向きに回動されることにより、上記第１の向きに円弧を描いて移動し、上記外部装置に設けられたカギ溝に係合し、上記カギ溝の第１の端面を押圧して上記外部装置を装着方向に押し込み、上記コネクタに上記外部装置に設けられたコネクタを嵌合させ、
上記外部装置の取り出しのときに、上記カギ溝に係合している上記係合ピンは、上記レバーが第２の向きに回動されることにより、上記第２の向きに円弧を描いて移動し、上記カギ溝の第２の端面を押圧して上記外部装置を取り出し方向に引き出し、上記両コネクタの嵌合を外す
ことを特徴とする電子機器。
【請求項１０】
上記カギ溝に係合しているときの上記係合ピンの移動範囲は、上記レバーの回動中心を通り上記着脱方向に垂直な方向と、上記回動中心および上記係合ピンの位置を通る方向とのなす角が、鋭角となる範囲であることを特徴とする請求項９記載の電子機器。
【請求項１１】
上記係合ピンが上記レバーに自転自在に設けられていることを特徴とする請求項９記載の電子機器。
【請求項１２】
上記レバーを所定の位置に保持するバネをさらに備えたことを特徴とする請求項９記載の電子機器。
【請求項１３】
電子機器に着脱自在に装着される外部装置において、
上記電子機器と電気的に接続するためのコネクタと、
上記電子機器に対する着脱方向と平行な長い形状で設けられた係合溝と、
上記係合溝の終端部に連なって設けられたカギ溝と
を備え、
自装置の装着のときに、
上記係合溝は、自装置が上記電子機器に挿入されるのに伴って、上記電子機器に回動可能に設けられたレバーに設けられた係合ピンに係合して装着方向に移動し、
上記カギ溝は、上記レバーが第１の向きに回動されることにより上記第１の向きに円弧を描いて移動してこのカギ溝に係合する上記係合ピンによって、その第１の端面が押圧されて自装置を上記装着方向に押し込み、上記コネクタを上記電子機器に設けられたコネクタに嵌合させ、
自装置の取り出しのときに、
上記カギ溝は、上記レバーが第２の向きに回動されることにより上記第２の向きに円弧を描いて移動する上記係合ピンによって、その第２の端面を押圧されて自装置を取り出し方向に押し出し、上記両コネクタの嵌合を外し、
上記係合溝は、自装置が上記電子機器から引き抜かれるのに伴って上記係合ピンに係合して上記取り出し方向に移動する
ことを特徴とする外部装置。
【請求項１４】
上記終端部に、上記外部装置の挿入に伴って上記終端部に達した上記係合ピンを係止するための係合凹部を設けたことを特徴とする請求項１３記載の外部装置。
【請求項１５】
上記カギ溝が上記終端部に連なる位置に、上記係合ピンを上記終端部から上記カギ溝に誘導するためのガイド部を設けたことを特徴とする請求項１３記載の外部装置。
【請求項１６】
上記係合溝の途中の一方の側面に係合凸部を設け、
上記係合凸部は、自装置の取り出しのときに、上記係合ピンによって係止され、上記レバーが上記第１の向きに回動されて上記係合ピンが上記第１の向きに移動することにより、上記係止を解除される
ことを特徴とする請求項１３記載の外部装置。
【請求項１７】
上記係合凸部は、
上記始端部の側が上記着脱方向に対して傾斜して形成されており、
自装置の装着のときに、上記係合ピンを上記傾斜に沿って通過させて上記終端部に誘導する
ことを特徴とする請求項１６記載の外部装置。
【発明の詳細な説明】
【０００１】
【発明の属する技術分野】
本発明は、コンピュータや画像処理装置などの電子機器にリムーバブル・ハードディスクユニットなどの外部装置を着脱自在に装着する装着機構に関するものである。
【０００２】
【従来の技術】
従来の装着機構においては、アームを設けたホルダーにハードディスクを嵌め込み、このホルダーをカーナビゲーションシステムのケースに挿入することにより、上記ハードディスクがカーナビゲーションシステムに装着され、上記アームに設けた曲げ点が上記ケースに接触するように上記アームを操作することにより、てこの原理によって上記ホルダーが上記ケースから引き出され、上記ハードディスクがカーナビゲーションシステムから取り出されるものである（例えば、特許文献１参照）。
【０００３】
【特許文献１】
特開２０００−３３９９４１号公報（図１，図６等）
【０００４】
【発明が解決しようとする課題】
しかしながら上記従来の装着機構では、外部装置であるハードディスクを電子機器であるカーナビゲーションシステムに装着するための機構は設けられておらず、外部装置の装着は全て手作業によってされるので、装着時の不用意な取り扱いや過度な装着力の印加などにより、外部装置と電子機器を電気的に接続するためのコネクタなどが破損することがあるという課題があった。
【０００５】
また、外部装置を電子機器から取り出すための機構であるアームが構造上および動作上占有するスペースが大きいという課題があった。
【０００６】
本発明は、このような従来の課題を解決するためになされたものであり、構成部品の破損を防止して外部装置を確実かつ容易に着脱でき、かつコンパクトな装着機構を提供することを目的とするものである。
【０００７】
【課題を解決するための手段】
本発明は、
電子機器に外部装置を着脱自在に装着する装着機構において、
上記電子機器に回動可能に設けられたレバーと、
上記レバーに設けられた係合ピンと、
上記電子機器に対する上記外部装置の着脱方向と平行な長い形状で上記外部装置に設けられた係合溝と、
上記係合溝の終端部に連なって設けられたカギ溝と
を備え、
上記外部装置の装着のときに、
上記係合溝は、上記外部装置が上記電子機器に挿入されるのに伴って上記係合ピンに係合して装着方向に移動し、
上記終端部に係合した上記係合ピンは、上記レバーが第１の向きに回動されることにより、上記第１の向きに円弧を描いて移動し、上記カギ溝に係合し、上記カギ溝の第１の端面を押圧して上記外部装置を上記装着方向に押し込み、上記電子機器に設けられたコネクタと上記外部装置に設けられたコネクタとを嵌合させ、
上記外部装置の取り出しのときに、
上記カギ溝に係合している上記係合ピンは、上記レバーが第２の向きに回動されることにより、上記第２の向きに円弧を描いて移動し、上記カギ溝の第２の端面を押圧して上記外部装置を取り出し方向に引き出し、上記両コネクタの嵌合を外し、上記終端部に係合し、
上記係合溝は、上記外部装置が上記電子機器から引き抜かれるのに伴って上記係合ピンに係合して上記取り出し方向に移動する
ことを特徴とするものである。
【０００８】
【発明の実施の形態】
実施の形態１．
図１は本発明の実施の形態１の装着機構の構成を示す斜視図である。この実施の形態１の装着機構は、電子機器１の本体部１ａに設けられた装着部４に、外部装置２を着脱自在に装着するものである。
【０００９】
電子機器１は、外部装置２を装着部４に装着した状態で使用可能である。外部装置２は、例えば大容量のリムーバブル・ハードディスクユニットである。また、外部装置２がリムーバブル・ハードディスクユニットである場合には、電子機器１は、例えばコンピュータや画像処理装置等の情報機器である。なお、電子機器１および外部装置２は、これらのものには限定されない。
【００１０】
図２は外部装置２の構成例を示す斜視図であり、図３は外部装置２のトレー２ａの構成例を示す斜視図である。また、図４は電子機器１の本体部１の内部に設けられた装着部４の構成例を示す斜視図である。
【００１１】
図１に示すように、電子機器１の本体部１ａは、開口３と装着部４とレバー５とを備えて構成されている。開口３は、外部装置２が挿入される本体部１ａの面に設けられており、装着部４は、本体部１ａの内部に設けられている。外部装置２は、開口３から本体部１ａに挿入され、装着部４に装着される。
【００１２】
図２に示すように、外部装置２は、外筐をなすトレー２ａと、ハードディスクなどの収容機器２ｂと、電子機器１に電気的に接続するためのコネクタ２ｃと、収容機器２ｂおよびコネクタ２ｃの間を接続するケーブルなどによって構成されている。なお、外部装置２の実使用時においては、必要に応じてトレー２ａの上面に蓋がさらに設けられる。
【００１３】
トレー２ａは、金属材料などによって形成されており、図３に示すように、側壁２ｄおよび２ｅと奥壁２ｆと前壁２ｇと底面とによって箱型をなして構成されている。外部装置２は、トレー２ａの奥壁２ｆから電子器機器１に装着される。
【００１４】
トレー２ａの奥壁２ｆには、図２および図３に示すように、コネクタ２ｃが設けられている。このコネクタ２ｃは、外部装置２が電子機器１の装着部４に装着されたときに、装着部４に設けられたコネクタ４ｂ（図４参照）と嵌合し、電子機器１と外部装置２を電気的に接続する。
【００１５】
トレー２ａの底面には、図２に示すように、支持ピンやダンパーなどを介して収容機器２ｂが取り付けられる。
【００１６】
また、トレー２ａの底面には、図３に示すように、係合溝２ｈが形成されている。この係合溝２ｈは、トレー２ａの底面の側壁２ｄと２ｅのほぼ中間位置に、電子機器１に対する外部装置２の着脱方向に平行な（側壁２ｄおよび２ｅと平行な）長い形状で形成されている。ここで、上記着脱方向は、電子機器１に対する外部装置２の装着時に外部装置２を挿入する装着方向、および電子機器１に対する外部装置２の取り出し時に外部装置２を引き抜く取り出し方向（上記装着方向と真逆の方向）である。
【００１７】
係合溝２ｈは、奥壁２ｆからトレー２ａの手前方向に伸びているが、前壁２ｇには到達していない。係合溝２ｈの奥壁２ｆ側の端部を始端部とし、係合溝２ｈの前壁２ｇの端部を終端部とすると、係合溝２ｈの始端部は、奥壁２ｆに達しているが、係合溝２ｈの終端部は、奥壁２ｆと前壁２ｇの途中に位置している。
【００１８】
係合溝２ｈの始端部から終端部付近までは、トレー２ａの底面をアーチ型に隆起させることによって形成されており、係合溝２ｈの終端部付近から終端部までは、トレー２ａの底面の切削によって形成されている。
【００１９】
また、係合溝２ｈは、始端部から終端部付近までは第１の幅で形成されているが、上記終端部付近においてその幅が狭くなり、そこから終端部までは、上記第１の幅よりも狭い第２の幅で形成さている。
【００２０】
また、係合溝２ｈの終端部には、係合凹部２ｊが設けられている。この係合凹部２ｊは、半円の切欠きである。
【００２１】
さらに、係合溝２ｈの終端部に連なって、この終端部とともに鍵型をなすように、カギ溝２ｉが形成されている。
【００２２】
また、カギ溝２ｉが上記終端部に連なる位置には、ガイド部２ｋが形成されている。このガイド部２ｋは、上記鍵型の内角を面取りしたものである。
【００２３】
これらの係合溝２ｈ、カギ溝２ｉ、係合凹部２ｊ、およびガイド部２ｋは、実施の形態１の装着機構を構成している。
【００２４】
図１および図４に示すように、電子機器１の本体部１ａ内部に設けられた装着部４は、外部装置２が装着されるケース４ａと、外部装置２を電子機器１に電気的に接続するためコネクタ４ｂなどによって構成されている。また、レバー５は、ケース４ａに回動可能に取り付けられている。
【００２５】
ケース４ａは、金属材料等により形成されており、図４に示すように、底面４ｃと側壁４ｄおよび４ｅと奥壁４ｆとによって構成されている。
【００２６】
ケース４ａの奥壁４ｆには、コネクタ４ｂが設けられている。このコネクタ４ｂは、外部装置２が装着部４に装着されたときに、外部装置２に設けられたコネクタ２ｃ（図２および図３参照）と嵌合し、電子機器１と外部装置２を電気的に接続する。
【００２７】
ケース４ａの底面４ｃのほぼ中央位置には、レバー５を取り付けるための取り付け穴４ｇと、この取り付け穴４ｇを中心とした半円弧型でやや幅広の回動溝４ｈとが設けられている。
【００２８】
レバー５は、金属材料などにより形成されており、円部およびテーパ部からなる略滴型をなしている。このレバー５には、図４に示すように、係合ピン５ａと、ノブ５ｂと、ケース４ａに取り付けるための取り付け穴５ｃとが設けられている。
【００２９】
取り付け穴５ｃは、レバー５の中心位置に設けられている。レバー５は、ケース４ａの取り付け穴４ｇと取り付け穴５ｃとをカシメピンなどによって組み付けることによって、ケース４ａの底面４ｃの裏面側に回動可能に取り付けられる。上記カシメピンおよび取り付け穴５ｃは、レバー５が回動するときの回動支軸をなす。
【００３０】
係合ピン５ａは、金属材料や樹脂材料などによって形成されており、レバー５の円部の円周付近に自転自在に設けられている。この係合ピン５ａは、レバー５がケース４ａに取り付けられたとき、ケース４ａの回動溝４ｈに挿嵌されてケース４ａの底面４ｃを裏面側から表面側に貫通し、底面４ｃの表面から突出し、回動溝４ｈ内を円弧を描いて移動可能である。回動溝４ｈは、係合ピン５ａが如何なる障害もなく回動溝４ｈ内を移動できるように形成されている。
【００３１】
ノブ５ｂは、樹脂材料などによって形成されており、レバー５のテーパ部の先端に設けられており、図１に示すように電子機器１の本体部１ａ前面から突出している。このノブ５ｂが右方向または左方向に操作させることによって、レバー５は右回りまたは左回りに回動し、このレバー５の回動に伴って係合ピン５ａが回動溝４ｈ内を円弧を描いて移動する。従って、レバー５の回動可能範囲は、回動溝４ｈに応じたものとなる。
【００３２】
これら、回動可能にケース４ａに取り付けられたレバー５、ケース４ａに設けられた回動溝４ｈ、レバー５に設けられて回動溝４ｈに挿嵌された係合ピン５ａは、実施の形態１の装着機構を構成している。
【００３３】
図５，図６，図７は本発明の実施の形態１の装着機構の動作を説明する平面図図であって、図５は外部装置２が装着部４に挿入されたあとにレバー５の操作によって装着部４に完全に装着される前の状態を示す図、図６は外部装置２がレバー５の操作によって装着部４に完全に装着される過程においてのカギ溝２ｉと係合ピン５ａの係合の様子を示す図、図７は外部装置２がレバー５の操作によって装着部４に完全に装着されたあとの状態を示す図である。
【００３４】
この実施の形態１の装着機構によって外部装置２が電子機器１に装着される動作（装着動作）および外部装置２が電子機器１から取り出される動作（取り出し動作）について、図５〜図７を用いて以下に説明する。
【００３５】
装着動作は、外部装置２を装着部４に挿入する手順（挿入手順）と、そのあとにレバー５の操作によって外部装置２をさらに押し込んで装着部４に完全に装着する手順（押し込み手順）とによってなされる。また、取り出し動作は、レバー５の操作によって外部装置２を完全な装着位置から引き出す手順（引き出し手順）と、そのあとに外部装置２を装着部４から引き抜く手順（引き抜き手順）とによってなされる。
【００３６】
まず、外部装置２が装着部４に挿入されると、外部装置２のトレー２ａに設けられた係合溝２ｈの始端部が、レバー５に設けられてケース４の底面４ｃから突出した係合ピン５ａに係合する。
【００３７】
次に、外部装置２が挿入されるのに伴って、係合溝２ｈは係合ピン５ａに係合して装着方向に移動する（係合ピン５ａは係合溝２ｈ内を始端部から終端部に達するまで通過する）。
【００３８】
そして、図５に示すように、係合ピン５ａが、係合溝２ｈの終端部に達し、この終端部に設けた係合凹部２ｊに突き当たってこれに係止および保持されることにより、外部装置２はその位置で停止してその位置に保持される。
【００３９】
係合ピン５ａが係合溝２ｈの終端部に係合し、これによって外部装置２が停止して保持されたこの時点では、トレー２ａのコネクタ２ｃは、ケース４ａのコネクタ４ｂの直前に位置し、コネクタ４ｂには接触していない。係合凹部２ｊは、外部装置２の挿入に伴って係合溝２ｉの終端部に達した係合ピン５ａを確実に係止および保持して、トレー２ａの挿入時の慣性力によって係合ピン５ａがレバー５を操作せずともカギ溝２ｉに押し出され、コネクタ２ｃがコネクタ４ｂに突き当たることを防止する役目をする。
【００４０】
このように、挿入手順では、外部装置２が装着部４に挿入されるのに伴って、レバー５の係合ピン５ａが外部装置２の係合溝２ｈに係合しながらこの係合溝２ｈ内を通過し、係合ピン５ａが係合溝２ｈの終端部に達して係合凹部２ｊに係止および保持されることにより、外部装置２はコネクタ２ｃがケース４ａのコネクタ４ｂに嵌合する直前の位置で停止してその位置に保持される。
【００４１】
外部装置２のコネクタ２ｃをケース４ａのコネクタ４ｂに嵌合させて、外部装置２を装着部４に完全に装着するためには、レバー５のノブ５ｂを右方向に操作して、外部装置２を装着方向にさらに押し込む必要がある。
【００４２】
ノブ５ｂを右方向に操作してレバー５を右回りに回動させると、それに伴って、レバー５の係合ピン５ａは、図６に示すように、ケース４ａの回動溝４ｈ内を右回りに円弧を描いて移動し、係合溝２ｈの終端部に設けられた係合凹部２ｊから離れてカギ溝２ｉに係合し、カギ溝２ｉの押し込み面（装着側の端面）に当たり、この押し込み面を押圧して、トレー２ａを装着方向にさらに押し込む動作をする。このとき、ガイド部２ｋは、係合ピン５ａをカギ溝２ｉにスムーズかつ確実に誘導する役目をする。
【００４３】
係合ピン５ａがトレー２ａを装着方向に押し込むことにより、外部装置２のコネクタ２ｃが装着部４のコネクタ４ｂに嵌合する。係合ピン５ａは、自在に自転できる構造でレバー５に設けられているので、外部装置２のカギ溝２ｉとの係合時の摩擦抵抗を低減できる。
【００４４】
そして、図７に示すように、半円弧型の回動溝４ｈの終端部（装着側の端部）に係合ピン５ａが突き当たることにより、レバー５の回動は物理的に阻止される。このとき、コネクタ２ｃはコネクタ４ｂに完全に嵌合し、電子機器１と外部装置２が電気的に接続され、外部装置２の装着を完了する。
【００４５】
このように、押し込み手順では、レバー５が右回りに回動操作されることにより、係合ピン５ａがカギ溝２ｉに係合してトレー２ａを装着方向に押し込み、コネクタ２ｃがコネクタ４ｂに嵌合し、外部装置２が装着部４に完全に装着される。
【００４６】
一方、外部装置２を装着部４から取り出すためには、まず、装着完了時に右端に位置しているノブ５ｂを左方向に操作して、外部装置２を取り出し方向に引き出す必要がある。
【００４７】
ノブ５ｂを左方向に操作してレバー５を左回りに回動させると、それに伴って、レバー５の係合ピン５ａは、ケース４ａの回動溝４ｈ内を左回りに円弧を描いて移動し、カギ溝２ｉの引き出し面（取り出し側の端面）に当たり、この引き出し面を押圧して、トレー２ａを取り出し方向に引き出す動作をし、そのあとカギ溝２ｉから離れて係合溝２ｈの終端部に設けられた係合凹部２ｊに再び係合する。
【００４８】
係合ピン５ａがトレー２ａを取り出し方向に引き出して係合溝２ｈの終端部に係合した時点で、コネクタ２ｃとコネクタ４ｂの嵌合は完全に外れ、外部装置２を装着部４から容易に引き抜くことができるようになる。
【００４９】
次に、外部装置２が引き抜かれると、それに伴って、係合溝２ｈは係合ピン５ａに係合して引き出し方向に移動する（係合ピン５ａは係合溝２ｈ内を終端部から始端部に達するまで通過する）。
【００５０】
そして、係合ピン５ａが係合溝２ｈの始端部に達すると、係合ピン５ａと係合溝２ｈの係合が外れ、外部装置２は装着部４から完全に取り出される。
【００５１】
このように、引き抜き手順では、外部装置２が装着部４から引き抜かれるのに伴って、レバー５の係合ピン５ａが外部装置２の係合溝２ｈに係合しながらこの係合溝２ｈ内を通過し、係合ピン５ａが係合溝２ｈの始端部に達した後に、係合ピン５ａと係合溝２ｈの係合が外れる。
【００５２】
この実施の形態１では、外部装置２を装着するときに、係合ピン５ａと係合溝２ｈの係合構造によって、挿入される外部装置２をコネクタ２ｃがコネクタ４ｂに接触する直前の位置で係止し、レバー５を操作することにより、その操作に連動して動作する係合ピン５ａとカギ溝２ｉの係合構造によって、外部装置２を上記係止位置から押し込んで、コネクタ２ｃとコネクタ４ｂを嵌合させるので、挿入される外部装置２のコネクタ２ｃが装着部４のコネクタ４ｂに過大な衝撃を与えることを防止し、コネクタの破損を防止することができる。
【００５３】
また、外部装置２を取り出すときにも、レバー５を操作することにより、その操作に連動して動作する係合ピン５ａとカギ溝２ｉの係合構造によって、外部装置２を装着位置から引き出して、コネクタ２ｃとコネクタ４ｂの嵌合を外すので、コネクタが固く嵌合している場合にも、コネクタを破損させることなくコネクタの嵌合を容易に外すことができ、外部装置２を容易に取り出すことができる。
【００５４】
さらに、レバー５は所定の回動範囲内を回動するのみであり、レバー５の構造をコンパクトにでき、レバー５の動作においても大きなスペースを必要としないので、ノブ５ｂを含めたレバー５の意匠性を確保しやすくなり、装着機構をコンパクトにできる。
【００５５】
図８は本発明の実施の形態１の装着機構の動作を模式的に説明する平面図であって、外部装置２がレバー５の操作によって装着部４に完全に装着される過程においての係合ピン５の移動の様子を示す図である。
【００５６】
図８において、点Ｏはレバー５の回動中心、点Ａはノブ５ｂが可動範囲の左端に位置するときの係合ピン５ａの位置、点Ｂはノブ５ｂが可動範囲の右端に位置するときの係合ピン５ａの位置を、それぞれ示している。
【００５７】
係合ピン５ａが、点Ｏを通って外部装置２の装着方向と平行なライン上に到達したとしたときの位置を、点Ｐとする。また、点Ｂは、線分ＯＰと直角をなすライン上にあるとする。
【００５８】
仮想点Ｑが、点Ｏを中心点とした点Ｐから点Ｂまでの円弧上を点Ｐから点Ｂに到達するとき、線分ＯＰと線分ＯＱとがなす角度を角Ｖとすると、点Ｐと点Ｑの外部装置２の装着方向に対する移動距離Ｙは、角Ｖに対して指数関数的に増加する。
【００５９】
また、上記点Ｑの移動とともに係合ピン５ａが移動し、係合ピン５ａがトレー２ａのカギ溝２ｉを外部装置２の装着方向に押し込む動作に要する力を考え、点Ｑにおいて上記円弧の接線方向に働く力Ｆを一定とし、力Ｆの外部装置２の装着方向と直角をなす方向に働く力を力Ｆｘとすると、力Ｆｘは、点Ｐから点Ｂに移動するに従って、指数関数的に小さくなる。ただし、摩擦力などを無視するものとする。
【００６０】
このように、点Ｐの近傍では、点Ｂの近傍と比較して、角Ｖの増加に伴う移動距離Ｙの値はかなり小さく、外部装置２の装着に関係しない力Ｆｘの値はかなり大きいので、点Ｐの近傍の係合ピン５ａの移動領域では、外部装置２を装着するための効率が低いと言える。
【００６１】
また、外部装置２を取り出すためにノブ５ｂを可動範囲の右端から左端に動作させる場合にも、摩擦力などを無視するものとすると、ノブ５ｂを可動範囲の左端から右端に動作させる場合とは外部装置２が移動する方向および力のかかる方向が逆転するだけであり、ノブ５ｂの操作に対して同様の効果を得られる。
【００６２】
従って、装着効率が低い点Ｐ近傍の係合ピン５ａの移動領域を係合ピン５ａの可動範囲から除外することにより、レバー５の操作による外部装置２の着脱効率（レバー５の回動角度に対する外部装置２の着脱方向の移動距離および着脱力の効率）を高くすることができ、これによってレバー５の回動範囲を狭くできるので、ノブ５ｂを含めたレバー５の意匠性をさらに確保しやすくなり、装着機構をさらにコンパクトにできる。
【００６３】
例えば、係合ピン５ａの可動範囲の端部を図８の点Ｑとしたとき、線分ＯＢと線分ＯＱとがなす角が鋭角となるように、係合ピン５ａの可動範囲を設定することにより、レバー５の操作による外部装置２の着脱効率を高くすることができる。
【００６４】
以上にように実施の形態１によれば、レバー５が回動操作に連動して動作する係合ピン５ａとカギ溝２ｉの係合構造によって、外部装置２を装着方向に押し込みおよび取り出し方向に引き出しことにより、コネクタなどの構成部品の破損を防止して外部装置２を確実かつ容易に着脱できる。また、レバー５の構造をコンパクトにでき、レバー５の動作においても大きなスペースを必要としないので、ノブ５ｂを含めたレバー５の意匠性を確保しやすくなり、従来よりもコンパクトな装着機構を実現できる。
【００６５】
また、上記カギ溝２ｉに係合しているときの係合ピン５ａの可動範囲を、レバー５の回動中心を通って着脱方向に垂直な方向（図８の線分ＯＢの方向）と上記回動中心および係合ピン５ａの位置を通る方向（図８の線分ＯＱの方向）とのなす角が鋭角となる範囲とすることにより、レバー５の操作による外部装置２の着脱効率を高くすることができ、これによってレバー５の回動範囲を狭くできるので、ノブ５ｂを含めたレバー５の意匠性をさらに確保しやすくなり、装着機構をさらにコンパクトにできる。
【００６６】
また、係合溝２ｈの終端部に係合凹部２ｊを設けたことにより、過度な力で外部装置２が挿入された場合にも、外部装置２の挿入に伴って係合溝２ｉの終端部に達した係合ピン５ａを確実に係止および保持することができるので、外部装置２を所定の位置で確実に停止および保持することができ、コネクタ２ｃがコネクタ４ｂに突き当たってコネクタが破損するのを防止できる。また、コネクタの嵌合が外部装置２の挿入時に印加される力に影響されないので、レバー５の操作によるトレー２ａの移動寸法および両コネクタの寸法の設定が容易になり、コネクタの接続をより確実なものにできる。
【００６７】
また、カギ溝２ｉが係合溝２ｈの終端部に連なる位置に、ガイド部２ｋを設けたことにより、外部装置２が挿入手順において所定の位置に保持されたときに多少の位置ズレが発生しても、係合ピン５ａを容易かつ確実にカギ溝２ｉに誘導して係合させることができるので、装着時の動作の安定が図れる。
【００６８】
係合ピン５をレバー５に自転自在に設けたことにより、係合ピン５がカギ溝２に係合しているときの双方の接触部の擦れを、係合ピン５の自転によって防止できるので、係合ピン５およびカギ溝２の摩耗を低減できる。
【００６９】
実施の形態２．
図９および図１０は本発明の実施の形態２の装着機構の構成および動作を示す平面図である。なお、図９および図１０において、上記実施の形態１と同様のものには同じ符号を付してある。
【００７０】
この実施の形態２の装着機構は、上記実施の形態１の装着機構において、外部装置２のトレー２ａの係合溝２ｈに係合凸部２ｍを設け、さらに電子装置１の本体部１ａにコイルバネ６を設けたものである。
【００７１】
係合凸部２ｍは、係合溝２ｈの長手方向（外部装置２の着脱方向）の中央付近であって、トレー２ａの底面と同じ面内に、台形型の突起をなして設けられている。
【００７２】
この係合凸部２ｍの手前側（外部装置２の取り出し側）は、外部装置２の着脱方向に対して直角であり、奥側（外部装置２の装着側）は、上記着脱方向に対して傾斜している。
【００７３】
また、ケース４ａにはコイルバネ６の一端を固定する屈曲部４ｉが設けられており、レバー５にはコイルバネ６の他端を固定する屈曲部が設けられている。
【００７４】
コイルバネ６は、ケース４ａの屈曲部４ｉおよびレバー５の屈曲部にそれぞれの端部を固定されており、レバー５が操作されないときには、レバー５をその回動範囲の左端に引き寄せて保持している。これによって、レバー５の係合ピン５ａは、係合溝２ｈの係合凸部２ｍが設けられた左側の端面に沿って係合溝２ｈ内を移動する。
【００７５】
上記図９は外部装置２を装着部４から引き出す過程において係合ピン５ａが係合凸部２ｍで係止される様子およびその係止が外される様子を示す図である。また、図１０は外部装置２を装着部４に挿入する過程において係合ピン５ａが係合凸部ｍを通過する様子を示す図である。
【００７６】
この実施の形態２の装着機構によって外部装置２が電子機器１に装着される動作（装着動作）および外部装置２が電子機器１から取り出される動作（取り出し動作）について、図９および図１０を用いて以下に説明する。なお、装着動作においての押し込み手順および取り出し動作においての引き出し手順は、上記実施の形態１と同じであるので、これらの手順の説明は省略し、取り出し動作においての引き抜き手順および装着動作においての挿入手順について説明する。
【００７７】
装着部４に完全装着された外部装置２を取り出すためにレバー５のノブ５ｂが左方向に操作されると、レバー５の係合ピン５ａがトレー２ａのカギ溝２ｉを離れて係合溝２ｈの終端部の係合凹部２ｊに到達する。
【００７８】
次に、外部装置２が装着部４から引き抜かれるのに伴って、係合溝２ｈも外部装置２の取り出し方向に移動し、コイルバネ６によって所定の位置（回動範囲の左端）に保持されたレバー５の係合ピン５ａが係合溝２ｈ内を左側の端面に沿って通過し、外部装置２が手前に出てくるが、図９に示すように、係合ピン５ａが係合溝２ｈの長手方向の中央付近に位置する係合凸部２ｍの直角面に突き当たると、係合凸部２ｍが係合ピン５ａを係止し、外部装置２はその位置に停止および保持されてそれ以上引く抜くことができなくなる。
【００７９】
ここで、レバー５のノブ５ｂを右方向に操作しながら外部装置２を引く出すことにより、外部装置２の取り出し動作を継続できる。ノブ５ｂが右方向に操作されることにより、図９に示すように、レバー５が右回りに回動し、それに伴って、係合ピン５ａは、ケース４ａの回動溝４ｈ内を右回りに円弧を描いて移動して、係合凸部２ｍの直角面から頂面に到達し、係合凸部２ｍとの係合が外れる。これよって、外部装置２をさらに引き出すことが可能となる。
【００８０】
このように、係合凸部２ｍは、取り出し動作の引き抜き手順においてストッパーの役割を果たす。これは、外部装置２にハードディスクなどの収容機器２ｂ（図２参照）が複数収容されていて外部装置２の質量が大きい場合などに、取り出し動作の途中でその動作を強制的に一旦停止させて外部装置２を保持し、両手で外部装置２を掴み直すことを促して、安全に外部装置２を取り出せるようにすることを目的としている。
【００８１】
また、外部装置２が装着部４に挿入されるのに伴って、係合溝２ｈも外部装置２の装着方向に移動し、コイルバネ６によって所定の位置（回動範囲の左端）に保持されたレバー５の係合ピン５ａは、係合溝２ｈ内を左側の端面に沿って通過し、やがて係合溝２ｈの長手方向の中央付近に位置する係合凸部２ｍに到達する。
【００８２】
ここで、図１０に示すように、係合凸部２ｍの奥側は外部装置２の装着方向に対して傾斜しているので、係合ピン５ａは、レバー５を操作しなくとも、外部装置２の挿入とともに、係合凸部２ｍの傾斜面に沿って右方向に移動し、係合凸部２ｍの頂面の到達する。
【００８３】
また、係合ピン５ａは、コイルバネ６によって係合凸部２ｍが設けられている左方向に引き寄せられているので、係合凸部２ｍの直角面を通過すると、もとの係合溝２ｈの左側の位置に誘導される。
【００８４】
このように、装着動作の挿入手順においては、係合凸部２ｍの奥側を傾斜面としているので、係合ピン５ａは、係合凸部２ｍに係止されることなく係合凸部２ｍをスムーズに通過することができるので、外部装置２を押し込み手順がなされる所定の位置までスムーズに挿入することができる。
【００８５】
以上のように実施の形態２によれば、係合溝２ｈの途中に係合凸部２ｍを設け、特に質量のある外部装置２を引き出し手順において所定の位置で一旦停止および保持させることにより、不用意に外部装置２を落下させることがない。また、レバー５を操作するだけで係止を解除でき、外部装置２の引き抜きるを継続できので、容易に外部装置２を取り出すことができる。
【００８６】
また、係合凸部２ｍの奥側を傾斜面としたことにより、外部装置２を挿入するときに、係合ピン５ａが係合凸部２ｍに係止されることなく係合凸部２ｍをスムーズに通過できるので、外部装置２をスムーズに挿入できる。
【００８７】
また、レバー５を所定に位置に保持するコイルバネ６を設けたことにより、より確実に、外部装置２の引き出し時に外部装置２を一旦停止および保持する動作、ならびに外部装置２をスムーズに挿入する動作ができる。
【００８８】
【発明の効果】
以上説明したように本発明によれば、構成部品の破損を防止して外部装置を確実かつ容易に着脱でき、かつコンパクトな装着機構を実現できるという効果がある。
【図面の簡単な説明】
【図１】本発明の実施の形態１の装着機構を構成を示す斜視図である。
【図２】図１の外部装置の構成例を示す斜視図である。
【図３】図１の外部装置のトレーの構成例を示す斜視図である。
【図４】図１の電子機器の本体部に設けられた装着部の構成例を示す斜視図である。
【図５】本発明の実施の形態１の装着機構の動作を説明する平面図であって、外部装置が装着部に挿入されたあとにレバーの操作によって装着部に完全に装着される前の状態を示す図である。
【図６】本発明の実施の形態１の装着機構の動作を説明する平面図であって、外部装置がレバーの操作によって装着部に完全に装着される過程においてのカギ溝と係合ピン５の係合の様子を示す図である。
【図７】本発明の実施の形態１の装着機構の動作を説明する平面図であって、外部装置がレバーの操作によって装着部に完全に装着されたあとの状態を示す図である。
【図８】本発明の実施の形態１の装着機構の動作を模式的に説明する平面図であって、外部装置２がレバー５の操作によって装着部４に完全に装着される過程においての係合ピン５の移動の様子を示す図である。
【図９】本発明の実施の形態２の装着機構を構成および動作を示す平面図であって、外部装置を装着部から引き出す過程において係合ピンが係合凸部で係止される様子およびその係止が外される様子を示す図である。
【図１０】本発明の実施の形態２の装着機構を構成および動作を示す平面図であって、外部装置を装着部に挿入する過程において係合ピンが係合凸部を通過する様子を示す図である。
【符号の説明】
１  電子機器、  １ａ  電子機器本体部、  ２  外部装置、  ２ａ  トレー、２ｂ  収容機器、  ２ｃ  外部装置側コネクタ、  ２ｄ  トレー側壁、  ２ｅトレー側壁、  ２ｆ  トレー奥壁、  ２ｇ  トレー前壁、  ２ｈ  係合溝、  ２ｉ  カギ溝、  ２ｊ  係合凹部、  ２ｋ  ガイド部、  ２ｍ  係合凸部、  ３開口部、  ４  装着部、  ４ａ  ケース、  ４ｂ  装着部側コネクタ、  ４ｃケース底面、  ４ｄ  ケース側壁、  ４ｅ  ケース側壁、  ４ｆ  ケース奥壁、  ４ｇ  ケース側取り付け穴、  ４ｈ  回動溝、  ４ｉ  屈曲部、  ５  レバー、  ５ａ  係合ピン、  ５ｂ  ノブ、  ５ｃ  レバー側取り付け穴、  ６  コイルバネ。
【図１】
2004348783.tif 000003
【図２】
2004348783.tif 000004
【図３】
2004348783.tif 000005
【図４】
2004348783.tif 000006
【図５】
2004348783.tif 000007
【図６】
2004348783.tif 000008
【図７】
2004348783.tif 000009
【図８】
2004348783.tif 000010
【図９】
2004348783.tif 000011
【図１０】
2004348783.tif 000012